(57)【特許請求の範囲】
【請求項１】
案内異形材（７）と走行レール（６）とに沿って案内されうる少なくとも１つの引き戸（２、３）を備える引き戸家具（１）の案内金具であって、
前記引き戸（２、３）に配置されている金具ハウジング（１０１、２０１、３０１）を有し、
前記金具ハウジング（１０１、２０１、３０１）に、案内異形材（７）内に案内されうる案内ボルト（５１）と、ダンパユニット（５４）および／または自己引き込みユニットと結合された駆動装置（５２）とが配置されている、案内金具において、
少なくとも前記案内ボルト（５１）および前記駆動装置（５２）を、前記引き戸（２、３）を前記案内異形材（７）の下にて支障なく枢動できる取付位置から、前記案内ボルト（５１）および前記駆動装置（５２）が前記案内異形材（７）内に突出している動作位置に可逆的に移動することができ、かつ前記動作位置において掛止でき、
前記ダンパユニット（５４）と、前記駆動装置（５２）と、前記自己引き込みユニットと、前記案内ボルト（５１）とがモジュラーユニットとして配置されており、
前記モジュラーユニットが、ハウジング（１１２、２１１、３０６）を備え、前記ハウジング（１１２、２１１、３０６）に前記案内ボルト（５１）が一体的に形成されており、かつ前記ダンパユニット（５４）と、前記駆動装置（５２）と、前記自己引き込みユニットとが取り付けられていることを特徴とする、案内金具。
【請求項２】
走行レール（６）上に案内されうるとともに案内異形材（７）を備える少なくとも１つの引き戸（２、３）を備える引き戸家具（１）の案内金具であって、
前記引き戸家具（１）の壁（４）または基部（５）に配置されている金具ハウジング（１０１、２０１、３０１）を有し、
前記金具ハウジング（１０１、２０１、３０１）に、前記案内異形材（７）内に案内されうる案内ボルト（５１）と、ダンパユニット（５４）および／または自己引き込みユニットと結合された駆動装置（５２）とが配置されている、案内金具において、
少なくとも前記案内ボルト（５１）および前記駆動装置（５２）を、前記引き戸（２、３）を前記案内異形材（７）の下にて支障なく枢動できる取付位置から、前記案内ボルト（５１）および前記駆動装置（５２）が前記案内異形材（７）内に突出している動作位置に可逆的に移動することができ、かつ前記動作位置において掛止でき、
前記ダンパユニット（５４）と、前記駆動装置（５２）と、前記自己引き込みユニットと、前記案内ボルト（５１）とがモジュラーユニットとして配置されており、
前記モジュラーユニットが、ハウジング（１１２、２１１、３０６）を備え、前記ハウジング（１１２、２１１、３０６）に前記案内ボルト（５１）が一体的に形成されており、かつ前記ダンパユニット（５４）と、前記駆動装置（５２）と、前記自己引き込みユニットとが取り付けられていることを特徴とする、案内金具。
【請求項３】
前記モジュラーユニットの前記ハウジング（１１２）が前記金具ハウジング（１０１）に枢動自在に配置されていることを特徴とする、請求項１または２に記載の案内金具。
【請求項４】
前記金具ハウジング（１０１）が、凹部（１０４、１０５）を備え、前記凹部（１０４、１０５）内において掛止可能な掛止要素（１１０、１１１）が前記モジュラーユニットの前記ハウジング（１１２）に一体的に形成されており、前記凹部（１０４、１０５）および／または前記掛止要素（１１０、１１１）が、前記掛止要素（１１０、１１１）が一方では前記取付位置において、他方では前記動作位置において掛止されうるように配置されていることを特徴とする、請求項３に記載の案内金具。
【請求項５】
前記案内ボルト（５１）の逆を向いている前記掛止要素（１１０）の正面側（１１３）が、前記案内ボルト（５１）から離れる方向に延びている突出部（１１４）を有するように構成されていることを特徴とする、請求項４に記載の案内金具。
【請求項６】
前記モジュラーユニットの前記ハウジング（２１１）が前記金具ハウジング（２０１）に対して折り畳み可能であることを特徴とする、請求項１または２に記載の案内金具。
【請求項７】
前記金具ハウジング（２０１）と前記ハウジング（２１１）とが、移動の方向に平行して回転可能であり、かつ前記動作位置において、掛止突出部（２０７）および掛止凹部（２１３）により掛止可能なヒンジ式継手（２０３）により互いに取り付けられていることを特徴とする、請求項６に記載の案内金具。
【請求項８】
前記モジュラーユニットの前記ハウジング（３０６）を前記金具ハウジング（３０１）から出すことができることを特徴とする、請求項１または２に記載の案内金具。
【請求項９】
前記金具ハウジング（３０１）が、凹部（３０３）を備え、前記凹部（３０３）から刻み付きねじ（３０４）のジャケット面が突出しており、前記刻み付きねじ（３０４）が、前記モジュラーユニットの前記ハウジング（３０６）に一体的に形成されたウェブのねじ部（３０５）にて調節可能に保持されており、かつ前記金具ハウジング（３０１）に固定された位置において回転面に対して垂直に保持されていることを特徴とする、請求項８に記載の案内金具。
【請求項１０】
前記金具ハウジング（１０１、２０１、３０１）が対称的な形状にされていることを特徴とする、請求項１〜９のいずれか１項に記載の案内金具。
【発明の詳細な説明】
【技術分野】
【０００１】
本発明は、請求項１の前文による走行レールの案内異形材に沿って案内されうる少なくとも１つの引き戸と、請求項２の前文による引き戸家具の案内金具とを備える引き戸家具の案内金具に関する。
【背景技術】
【０００２】
案内異形材内において引き戸を案内するため、引き戸家具物品の引き戸用の一般的な案内金具が使用されている。この案内金具は、引き戸家具の天井部分に挿入された案内異形材内に下から突出する案内ボルトを備えている。このような引き戸家具の利便性を向上させるため、案内ボルトに加え、案内金具に配置された駆動装置によって作動されるダンパユニットおよび／または自己引き込みユニットも備える案内金具も公知である。案内金具には、案内異形材内の駆動装置を作動するための作動装置が所定の位置に取り付けられており、作動装置は、引き戸が移動する間、駆動装置に係合しているため、引き戸を閉める間、引き戸の位置によって引き戸の動きを制限するか、引き戸を開く間、引き戸の開く動きを支持する。
【０００３】
これら案内金具の短所は、引き戸家具、特に、そのような便利な機能部品を備えた案内金具の取り付けに多大な労力を要するため、取り付けに時間がかかり、費用が増加することである。
【発明の概要】
【発明が解決しようとする課題】
【０００４】
本発明の目的は、引き戸家具、特に、引き戸の簡単かつ有意な取り付けおよび取り外しを可能にする引き戸家具の案内金具を提供することである。
【０００５】
この目的は、請求項１に記載の特徴を有する引き戸家具の案内金具および請求項２に記載の特徴を有する引き戸家具の案内金具によって達成される。
【課題を解決するための手段】
【０００６】
本発明によれば、少なくとも案内ボルトおよび案内金具の駆動装置は、引き戸が案内異形材下において支障なく枢動できる取付位置から、案内ボルトおよび駆動装置が案内異形材内に突出する動作位置まで可逆的に移動できるように配置されている。案内ボルトおよび駆動装置はこの機能位置において掛止されうる。案内金具のこのような構成は大きな利点につながる。この利点とは、引き戸家具の取り付け時、まず引き戸を下縁部から走行レール内に挿入することができ、その後、取付位置から、駆動装置および案内ボルトが案内異形材内に突出する動作位置まで少なくとも案内ボルトおよび駆動装置が移動できるように引き戸を単に内方に枢動することによって案内金具および案内異形材を収容できるということである。
【０００７】
この工程においては、請求項１に説明されるような案内金具が引き戸に埋設されうるのに対して、案内異形材は引き戸家具の天井部分に埋設される。請求項２に記載の案内金具の場合、案内金具が引き戸家具の壁に配置されているのに対して、案内異形材は引き戸の正面縁部に埋設されている。両変形形態ともが可能である。重要な点は、本発明による案内金具により引き戸家具の取り付けを簡単にすることである。
【０００８】
有利な実施形態によれば、ダンパユニットと、駆動装置と、自己引き込みユニットと、案内ボルトとは、モジュラーユニットとして配置されている。そのため、それらは金具ハウジング内において取付位置から動作位置に簡単に移動されうる。
【０００９】
好適な実施形態によれば、モジュラーユニットはハウジングを備える。このハウジングには、案内ボルトが一体的に取り付けられており、かつダンパユニットと、駆動装置と、自己引き込みユニットとが取り付けられている。このハウジングは、特に、枢動可能な状態で金具ハウジングに配置されている。
【００１０】
ダンパユニットと、駆動装置と、自己引き込みユニットと、案内ボルトとのモジュラーユニットとしての構成により、引き戸家具の外側に案内金具を事前に簡単に取り付けることが可能となる。そのため、案内金具を引き戸家具に取り付ける間、引き戸をその動作位置まで内方に枢動させた後、金具ハウジング上または金具ハウジング内においてモジュラーユニットをその取付位置から動作位置まで単に移動するだけでよい。
【００１１】
さらに好適な実施形態によれば、案内金具のモジュラーユニットのハウジングは金具ハウジング上に折り畳むことができる。これにより、引き戸家具の特に簡単な取り付けが可能となる。それは、引き戸が、その動作位置まで内方に枢動する間、同時に、金具ハウジング内にモジュラーユニットのハウジングを折り畳み、それによってその動作位置に移動するからである。
【００１２】
本発明のさらなる実施形態によれば、案内金具は、モジュラーユニットのハウジングを金具ハウジングから出すことができるように配置されている。これは、好ましくは、金具ハウジングの凹部から突出している刻み付きねじによって行われる。モジュラーユニットは、引き戸をその動作位置まで内方に枢動させた後、モジュラーユニットが金具ハウジング内に下りる取付位置から、モジュラーユニットが金具ハウジングから突出する動作位置まで刻み付きねじを回すことによって移動することができる。
【００１３】
添付の図面に示されるいくつかの実施形態を参照することにより本発明を以下にさらに詳細に説明する。
【図面の簡単な説明】
【００１４】
【図１】引き戸が閉じられた状態の引き戸家具の斜視図である。
【図２】引き戸が部分的に開いた状態の引き戸家具の斜視図である。
【図３】引き戸の閉位置において引き戸に埋設されている本発明による案内金具の一実施形態である。
【図４】引き戸が開いているときの図３の案内金具を示す。
【図５】引き戸取り付け時の引き戸式戸棚の図である。
【図６】引き戸取り付け時の引き戸式戸棚の図である。
【図７】引き戸取り付け時の引き戸式戸棚の図である。
【図８】引き戸取り付け時の引き戸式戸棚の図である。
【図９】引き戸取り付け時の引き戸式戸棚の図である。
【図１０】モジュラーユニットの取付位置における本発明による案内金具の第１の実施形態の前面図である。
【図１１】図１０の詳細拡大図である。
【図１２】モジュラーユニットが動作位置に配置されている図１０の案内金具の前面図である。
【図１３】図１２の詳細拡大図である。
【図１４】モジュラーユニットが取付位置に配置されている図１０の案内金具の側方断面図である。
【図１５】モジュラーユニットが動作位置に配置されている図１２の案内金具の側方断面図である。
【図１６】モジュラーユニットが取付位置にある、引き戸に埋設されている案内金具の斜視図である。
【図１７】図１６の詳細拡大図である。
【図１８】モジュラーユニットが動作位置に配置されている図１６の案内金具を示す。
【図１９】図１８の詳細拡大図である。
【図２０】モジュラーユニットが引き戸のある位置において動作位置にある、引き戸に埋設された案内金具の概略図であり、ガイドレールに配置された作動装置と案内金具の駆動装置との相互作用を示す。
【図２１】モジュラーユニットが引き戸の別の位置において動作位置にある、引き戸に埋設された案内金具の概略図であり、ガイドレールに配置された作動装置と案内金具の駆動装置との相互作用を示す。
【図２２】モジュラーユニットが引き戸のさらに別の位置において動作位置にある、引き戸に埋設された案内金具の概略図であり、ガイドレールに配置された作動装置と案内金具の駆動装置との相互作用を示す。
【図２３】部分的に露出したハウジング壁を有する図２０の案内金具の概略図であり、取付位置から動作位置への、モジュラーユニットの内方への枢動を示す。
【図２４】部分的に露出したハウジング壁を有する図２１の案内金具の概略図であり、取付位置から動作位置への、モジュラーユニットの内方への枢動を示す。
【図２５】部分的に露出したハウジング壁を有する図２２の案内金具の概略図であり、取付位置から動作位置への、モジュラーユニットの内方への枢動を示す。
【図２６】案内異形材の作動装置と係合している案内金具のさらなる図である。
【図２７】引き戸に埋設されている本発明による案内金具のさらなる実施形態を備えた引き戸家具の図である。
【図２８】引き戸に埋設されている本発明による案内金具のさらなる実施形態を備えた引き戸家具の図である。
【図２９】引き戸に埋設されている本発明による案内金具のさらなる実施形態を備えた引き戸家具の図である。
【図３０】引き戸に埋設されている本発明による案内金具のさらなる実施形態を備えた引き戸家具の図である。
【図３１】引き戸に埋設されている本発明による案内金具のさらなる実施形態を備えた引き戸家具の図である。
【図３２】本発明による案内金具のさらなる実施形態の図である。
【図３３】本発明による案内金具のさらなる実施形態の図である。
【図３４】本発明による案内金具のさらなる実施形態の図である。
【図３５】本発明による案内金具のさらなる実施形態の図である。
【発明を実施するための形態】
【００１５】
以下の図面についての説明において、上、下、左、右、前、後等の用語は、各々の図面において選択された案内金具および他の部品の例示的な図および位置のみに関するものである。これら用語はいかようにも限定すると解釈されるものではなく、そのような参照は種々の動作位置または対称的な構成等により変更できることを意味する。
【００１６】
図１および図２における参照符号１は、引き戸家具全体を示す。引き戸家具は、側壁を有する本体と、天井部分として使用される上部壁４と、基部５とを備える。走行レール６が基部５に埋設されており、案内異形材７が天井部分として使用される壁４に埋設されている。前記案内異形材は、引き戸２、３に固定された案内金具１００、２００、３００によって引き戸２、３の摺動動作ｘを可能にしている。
【００１７】
引き戸２、３をそのような引き戸家具１に取り付けるため、引き戸２は、まず基部５に配置された走行レール６内に挿入され、その後、案内異形材７下において移動方向ｘに対して横方向に内方に枢動される。これにより、案内金具１００、２００、３００に収容されたモジュラーユニットを案内異形材７と係合させることができ、これによって、引き戸２、３は案内異形材７に沿って案内可能となる。
【００１８】
図５〜図９に示すように、本発明による案内金具１００の一実施形態は、引き戸家具１に引き戸２を挿入する前に引き戸２に取り付けられているか、引き戸２にそれぞれ設けられた溝に埋設されているかである。図３、図４および図２３〜図２５に特に詳細に示すように、案内金具１００は、引き戸２に配置された金具ハウジング１０１を備えている。前記金具ハウジングは好ましくは引き戸２に埋設されている。金具ハウジングには、モジュラーユニットのハウジング１１２に取り付けられた、案内ボルト５１と、ダンパユニット５４と、駆動装置５２と、ばね要素５５を有する自己引き込みユニットとを備えるモジュラーユニットが配置されている。ハウジング１１２はトラニオンピン１０６により金具ハウジング１０１に配置されている。このため、案内ボルト５１および駆動装置５２が少なくとも実質的に金具ハウジング１０１の内部に下りている取付位置にあるモジュラーユニット全体を、金具ハウジング１０１から、金具ハウジング１０１の正面側１０７にある開口部１０８を通してモジュラーユニットの動作位置まで簡単に枢動させることができる。
【００１９】
この動作位置において、案内ボルト５１は案内異形材７内に移動するため、引き戸２を案内異形材７に沿って案内することが可能になる。駆動装置５２は、案内異形材７の（図２０〜図２２に示すような）所定の位置に配置されている作動装置８が駆動装置５２に接触できる程度案内異形材７内に突出している。これは、一方では、自己引き込みユニットのばね要素５５のばね動作により引き戸２の閉じる動きに支持を提供するためであり、同時に、閉鎖位置に到達する際、駆動装置５２と結合されたダンパユニット５４により引き戸２の過大な衝撃を制限するためである。この点で、駆動装置５２は、一方の側において曲げられた端部５７を有するＬ字型の連結リンク５６に案内されている。駆動装置５２は、引き戸２の所定の位置に到達すると端部５７内に部分的に移動して作動装置８を解放し、したがって、引き戸２を解放してさらなる距離を摺動させる。このような駆動装置の機能は従来技術から公知である。同様のことがダンパユニット５４およびその駆動装置５２との結合に当てはまるため、ここでは駆動装置５２のダンパユニット５４および自己引き込みユニットとの結合および機能についてのさらなる詳細な説明は省略できる。
【００２０】
モジュラーユニットを金具ハウジング１０１に配置するため、掛止要素（ｌａｔｃｈｉｎｇ  ｅｌｅｍｅｎｔ）１１０、１１１がモジュラーユニットのハウジング１１２に一体的に形成されている。前記掛止要素は金具ハウジング１０１の関連の凹部１０４、１０５内に掛止可能である。掛止要素１１０、１１１は、トラニオンピン１０６に対して様々な角位置にあるモジュラーユニットのハウジング１１２に一体的に形成されている。したがって、凹部１０４、１０５は、トラニオンピン１０６に対する各々の角位置において金具ハウジング１０１に配置されている。このため、モジュラーユニットを取付位置にロックするために、掛止要素１１０は、金具ハウジング１０１の正面側１０７にある開口部１０８から離れた凹部１０４内に掛止する。また、掛止要素１１１は凹部１０５内に掛止し、それによって、モジュラーユニットの枢動を防止する。この位置のモジュラーユニットの詳細な図を図１０および図１１に示す。
【００２１】
続いて、モジュラーユニットを取付位置から動作位置に移動するため、掛止要素１１０が凹部（単数）または凹部（複数）１０４から金具ハウジング１０１内に内方に押される。モジュラーユニットは、その後、この位置において、開口部１０８から上方にその動作位置に枢動されうる。掛止要素１１０は金具ハウジング１０１の内部から凹部１０５内に自動的に押される。このような方法で達した、駆動装置５２および案内ボルト５１が金具ハウジング１１の開口部１０８から上方に突出している動作位置を図１２および図１３に示す。
【００２２】
金具ハウジング１０１を引き戸２に固定するためにいくつかの孔１０２が設けられている。前記孔は、ねじ１０３をねじ止めすることによって金具ハウジング１０１を引き戸２と共にねじ止めすることを可能にする。
【００２３】
図１１および図１３の拡大詳細図に示すように、掛止要素１１１は、凹部１０５の関連の外側縁部に載置している縁部がトラニオンピン１０６の方向に離れるように形成されている。これは、モジュラーユニットの枢動運動時に含まれる角度に従って前記外側縁部を凹部１０５の縁部と完全に面一に接触させるためである。
【００２４】
図１４および図１５に示すように、掛止要素１１０、１１１が一体的に形成されているハウジング１１２の部分は弾性的に可撓性のあるウェブ１１５の形態で配置されている。ウェブ１１５は緩んだ状態において金具ハウジング１０１の凹部１０４、１０５内に突出している。
【００２５】
掛止要素１１０、１１１とともに形成されたウェブ１１５が動作位置（図１５）において金具ハウジング１０１の内部に後方にたわむことを防止するため、ウェブ１１５の正面側１１３に突出部１１４が形成されている。前記突出部は案内ボルト５１から離れる方向に延びている。
【００２６】
図１６および図１７は、再度、設置された状態の案内金具１００を示すものである。この場合、モジュラーユニットは取付位置において掛止されている。図１８、図１９および図２６は、設置された状態の案内金具１００を示す。この場合、モジュラーユニットは動作位置において掛止されている。
【００２７】
ここで、案内異形材７内に突出している案内ボルト５１および駆動装置５２を明確に示す。
【００２８】
図２０〜図２２は、作動装置８とともに機能する案内金具１００を示す。作動装置８は、案内異形材７内に固定的に配置されているとともに、例えば、釘９により案内異形材７内の所定の位置に固定されている。図２０に示すような引き戸２の位置において、引き戸２は開いた位置にある。駆動装置５２は、この場合、駆動装置５２が作動装置８を解放し、結果として、引き戸２が自由に可動可能な状態で案内異形材７に沿って最大に開く位置まで移動できるように枢動される。図２１において、引き戸２は、その閉鎖位置の方向において、作動装置８が駆動装置５２に当たるような程度まで移動している。これにより、引き戸２がその閉鎖位置の方向にさらに移動する間、駆動装置５２が作動装置８の周りに係合し、それによって、自己引き込み機構およびダンパ機構を起動し、それによって、引き戸２を、自動的にかつ運動制限された状態で図２２に示す閉鎖位置に案内するように駆動装置５２を枢動する。
【００２９】
図２７〜図３１は、本発明による案内金具２００のさらに好適な実施形態を示す。前記案内金具は、モジュラーユニットのハウジング２１１を金具ハウジング２０１上に折り畳むことができるような方法で配置されている。このため、取り付け時、ハウジング２１１を外側に折り畳んだ状態で引き戸２を案内異形材７の方向に枢動できる。案内ボルト５１および駆動装置５２は、案内異形材７の下において引き戸２が内方に枢動する間、案内異形材７により直に受容されているため、モジュラーユニットのハウジング２１１は、引き戸２が垂直端部位置に到達すると、金具ハウジング２０１内に完全に折り畳まれる。それによって、案内金具２００はその動作位置に自動的に移動する。この目的のため、金具ハウジング２０１とハウジング２１１とは、方向ｘに平行して回転可能なトラニオンピン２０６を備えたヒンジ式継手２０３によって互いに取り付けられている。前記トラニオンピン２０６はピボット軸受２０５内に案内されており、好ましくは、１つまたはいくつかのウェブ２０４により安定化され、動作位置において、掛止突出部２０７とモジュラーユニットのハウジング２１１にある掛止凹部２１３により掛止することができる。掛止凹部を金具ハウジングに配置すること、したがって、また、掛止突出部をモジュラーユニットのハウジングに配置することも可能であると理解される。
【００３０】
図３２〜図３５は、本発明による案内金具３００のさらなる実施形態を示す。この場合、モジュラーユニットのハウジング３０６は、好ましくは、金具ハウジング３０１の凹部３０３から突出している刻み付きねじ（ｋｎｕｒｌｅｄ  ｓｃｒｅｗ）３０４による作動によって金具ハウジング３０１から出される。刻み付きねじ３０４はウェブ３０５のねじ部と作動的に連結している。ウェブ３０５のねじ部は、モジュラーユニットのハウジング３０６に一体的に形成されているとともに、金具ハウジング３０１に固定された位置において回転面に対して垂直に保持されている。このため、モジュラーユニットは、刻み付きねじ３０４を回すことによって、金具ハウジング３０１から出されるか、金具ハウジング３０１内に下ろされる。
【００３１】
有利な実施形態によれば、金具ハウジング１０１、２０１、３０１のすべての変形形態が対称的な形状にされるため、様々な手法でモジュラーユニットを設置することが可能である。
【００３２】
案内異形材７を引き戸２、３に、および案内金具１００、２００、３００を引き戸家具１の壁４または基部５に配置することも可能である。
【符号の説明】
【００３３】
１  引き戸家具
２  引き戸
３  引き戸
４  壁
５  基部
６  走行レール
７  案内異形材
８  作動装置
９  釘
５１  案内ボルト
５２  駆動装置
５３  ロッド
５４  ダンパユニット
５５  ばね要素
５６  連結リンク
５７  連結リンクの端部
１００  案内金具
１０１  金具ハウジング
１０２  孔
１０３  ねじ
１０４  凹部
１０５  凹部
１０６  トラニオンピン
１０７  正面側
１０８  開口部
１１０  掛止要素
１１１  掛止要素
１１２  ハウジング
１１３  正面側
１１４  突出部
１１５  ウェブ
２００  案内金具
２０１  金具ハウジング
２０２  孔
２０３  ヒンジ式継手
２０４  ウェブ
２０５  ピボット軸受
２０６  トラニオンピン
２０７  掛止突出部
２１１  ハウジング
２１２  開口部
２１３  掛止凹部
３００  案内金具
３０１  金具ハウジング
３０２  孔
３０３  凹部
３０４  刻み付きねじ
３０５  ねじ部
３０６  ハウジング
ｘ  移動の方向
【図１】
0005870390.tif 000002
【図２】
0005870390.tif 000003
【図３】
0005870390.tif 000004
【図４】
0005870390.tif 000005
【図５−６】
0005870390.tif 000006
【図７】
0005870390.tif 000007
【図８】
0005870390.tif 000008
【図９】
0005870390.tif 000009
【図１０−１１】
0005870390.tif 000010
【図１２−１３】
0005870390.tif 000011
【図１４】
0005870390.tif 000012
【図１５】
0005870390.tif 000013
【図１６−１７】
0005870390.tif 000014
【図１８−１９】
0005870390.tif 000015
【図２０】
0005870390.tif 000016
【図２１】
0005870390.tif 000017
【図２２】
0005870390.tif 000018
【図２３】
0005870390.tif 000019
【図２４】
0005870390.tif 000020
【図２５】
0005870390.tif 000021
【図２６】
0005870390.tif 000022
【図２７】
0005870390.tif 000023
【図２８】
0005870390.tif 000024
【図２９】
0005870390.tif 000025
【図３０】
0005870390.tif 000026
【図３１】
0005870390.tif 000027
【図３２】
0005870390.tif 000028
【図３３】
0005870390.tif 000029
【図３４】
0005870390.tif 000030
【図３５】
0005870390.tif 000031